(57)【要約】【課題】動画表示からメモリ回路を用いた静止画表示へ切り替えるときの表示画像のちらつきを防止する。【解決手段】動画表示から静止画表示への切り替えの際に、信号線Ｓと画素電極１３との間に配置された第１スイッチ素子１１をオンオフ制御する走査信号と同一位相の制御信号ＳＰＯＬＡ−Ｙを、画素電極１３とメモリ回路１５との間に配置された第２スイッチ素子１４に対して出力することにより、メモリ回路１５の映像信号の書込動作を制御する。【選択図】　　　図１
2004013124.tif 000002
【特許請求の範囲】
【請求項１】
走査信号が供給される複数の走査線と映像信号が供給される複数の信号線との各交差部に画素電極とメモリ回路を備え、動画表示の際には信号線からの映像信号を画素電極に出力し、静止画表示の際にはメモリ回路に蓄積された映像信号を画素電極に出力する表示装置において、
動画表示から静止画表示への切り替えの際に、信号線からの映像信号が画素電極に出力される間だけメモリ回路に映像信号の書き込みのための動作をさせるメモリ制御手段を有することを特徴とする表示装置。
【請求項２】
前記走査線と前記画素電極との間に配置された第１スイッチ素子と、前記画素電極と前記メモリ回路との間に配置された第２スイッチ素子を有し、
前記メモリ制御手段は、前記走査線からの走査信号を第１スイッチ素子へ出力する際に、当該走査信号と同一位相の信号を当該走査線に対応する第２スイッチ素子に出力する出力手段を有することを特徴とする請求項１記載の表示装置。
【発明の詳細な説明】
【０００１】
【発明の属する技術分野】
本発明は、画素毎にメモリ回路を備え、静止画表示の際にはメモリ回路に蓄積された画像信号を用いて画像表示を行う表示装置に関する。
【０００２】
【従来の技術】
携帯電話等の利用者が持ち歩くことを前提とする小型情報端末では、内蔵電源による駆動が前提となるため、低消費電力型の液晶表示装置が必要とされる。このような背景から、従来の液晶表示装置は、画素毎にメモリ回路を備え、静止画を表示するときには、メモリ回路に蓄積された映像信号を用いることとして液晶を交流駆動するための交流駆動回路のみを動作させ、動画表示に必要な走査線駆動回路や信号線駆動回路等の周辺駆動回路を止めることにより、消費電力の低減を図っていた。
【０００３】
従来の液晶表示装置は、図４に示すように、走査線駆動回路２からの複数の走査線Ｙ１〜Ｙｎと信号線駆動回路３からの複数の信号線Ｓ１〜Ｓｍとが表示部４上で交差し、各交差部に画素５が配置される。各画素５は、第１スイッチ素子１１、補助容量１２、画素電極１３、第２スイッチ素子１４（１４ａ，１４ｂ）、メモリ回路１５を有する構成である。第１スイッチ素子１１は、信号線Ｓと画素電極１３との間に配置され、走査線Ｙからの走査信号によりオンオフ制御される。
【０００４】
第２スイッチ素子１４ａ，１４ｂは、画素電極１３とメモリ回路１５との間に配置される。第２スイッチ素子１４ａは制御信号ＳＰＯＬＡによりオンオフ制御され、第２スイッチ素子１４ｂは制御信号ＳＰＯＬＢによりオンオフ制御される。第１スイッチ素子１１、第２スイッチ素子１４は、ｎＭＯＳ構造の薄膜トランジスタである。
【０００５】
この液晶表示装置の動作は、図５に示すように、動画表示では、走査線Ｙ１〜Ｙｎに順に走査信号としてハイレベルのパルスを出力し、このパルスに同期して信号線駆動回路３から信号線Ｓ１〜Ｓｍに映像信号を出力する。走査信号がハイレベルとなったとき、その走査線Ｙに接続されている全ての第１スイッチ素子１１がオンし、この第１スイッチ素子１１を通じて映像信号が画素電極１３に出力される。
【０００６】
動画表示から静止画表示に切り替わる際には、制御信号ＳＰＯＬＡの電位をハイレベルにすることによって、全ての第２スイッチ素子１４ａをオンし、第１スイッチ素子１１から画素電極１３に出力される映像信号が第２スイッチ素子１４ａを通じてメモリ回路１５にも出力されるようにする。そして、静止画表示の際には、メモリ回路１５に蓄積された映像信号が画素電極１３に出力される。
【０００７】
【発明が解決しようとする課題】
しかしながら、従来の液晶表示装置では、動画表示から静止画表示への切替の際に、制御信号ＳＰＯＬＡにより全てのメモリ回路１５の書き込み動作を一括して制御していたため、制御信号ＳＰＯＬＡがハイレベルとなったところで全てのメモリ回路１５がそれぞれの画素電極１３と電気的に接続されることとなる。このため、制御信号ＳＰＯＬＡがハイレベルとなった後、走査信号がハイレベルとなって映像信号が画素電極１３に供給されるまでの期間においては、メモリ回路１５に過去の映像信号が既に蓄積されている場合には、この映像信号がメモリ回路１５から画素電極１３に出力されてしまい、表示画像にちらつきが生じるという問題があった。
【０００８】
本発明は、上記に鑑みてなされたものであり、その目的とするところは、動画表示からメモリ回路を用いた静止画表示へ切り替えるときの表示画像のちらつきを防止し得る表示装置を提供することにある。
【０００９】
【課題を解決するための手段】
第１の本発明に係る表示装置は、走査信号が供給される複数の走査線と映像信号が供給される複数の信号線との各交差部に画素電極とメモリ回路を備え、動画表示の際には信号線からの映像信号を画素電極に出力し、静止画表示の際にはメモリ回路に蓄積された映像信号を画素電極に出力する表示装置において、動画表示から静止画表示への切り替えの際に、信号線からの映像信号が画素電極に出力される間だけメモリ回路に映像信号の書き込みのための動作をさせるメモリ制御手段を有することを特徴とする。
【００１０】
本発明にあっては、動画表示から静止画表示への切り替えの際に、信号線からの映像信号が画素電極に出力される間だけメモリ回路に映像信号の書き込みのための動作をさせるようにしたことで、メモリ回路の書込動作中に信号線から映像信号が供給されないためにメモリ回路に蓄積されている過去の映像信号が画素電極に出力されてしまうことがなくなり、表示画像のちらつきを防止することができる。
【００１１】
第２の本発明は、上記表示装置において、前記走査線と前記画素電極との間に配置された第１スイッチ素子と、前記画素電極と前記メモリ回路との間に配置された第２スイッチ素子を有し、前記メモリ制御手段は、前記走査線からの走査信号を第１スイッチ素子へ出力する際に、当該走査信号と同一位相の信号を当該走査線に対応する第２スイッチ素子に出力する出力手段を有することを特徴とする。
【００１２】
本発明にあっては、画素電極とメモリ回路との間に配置された第２スイッチ素子に対して、第１スイッチ素子をオンオフ制御する走査信号と同一位相の信号を出力するようにしたことで、第１スイッチ素子を通じて信号線からの映像信号が画素電極に出力される場合にだけ、第２スイッチ素子を通じて映像信号がメモリ回路へ出力されるようにしている。
【００１３】
【発明の実施の形態】
以下、本発明の実施の形態について図面を用いて説明する。
【００１４】
一実施の形態に係る液晶表示装置は、図１の回路図に示すように、メモリ制御回路１、走査線駆動回路２、信号線駆動回路３、表示部４が、同一の製造プロセスによりガラス製の第１電極基板上に一体的に形成された構成である。
【００１５】
メモリ制御回路１は、走査線駆動回路２からの走査線Ｙ１〜Ｙｎ（以下、総称「Ｙ」）のそれぞれについてゲート回路１０を備える。各ゲート回路１０は、対応する走査線Ｙ、制御信号ＳＰＯＬＡ、制御信号ＭＯＤＥを入力とし、制御信号ＳＰＯＬＡ−Ｙを出力する。
【００１６】
走査線駆動回路２は、各走査線Ｙに対して走査信号を出力し、信号線駆動回路３は、信号線Ｓ１〜Ｓｍ（以下、総称「Ｓ」）に対して映像信号を出力する。
【００１７】
表示部４には、各走査線Ｙと各信号線Ｓが互いに交差するように配線され、各交差部に同一構成の画素５がそれぞれ配置される。
【００１８】
各画素５は、第１スイッチ素子１１、補助容量１２、画素電極１３、第２スイッチ素子１４（１４ａ，１４ｂ）、メモリ回路１５を有する構成である。第１スイッチ素子１１、第２スイッチ素子１４は、一例としてｎＭＯＳ構造のポリシリコン薄膜トランジスタで構成される。メモリ回路１５はＳＲＡＭ（Ｓｔａｔｉｃ　Ｒａｎｄｏｍ　Ａｃｃｅｓｓ　Ｍｅｍｏｒｙ）等のメモリで構成される。
【００１９】
第１スイッチ素子１１のゲートは対応する走査線Ｙに接続され、ソースは対応する信号線Ｓに接続され、ドレインは補助容量１２及び画素電極１３に接続される。第２スイッチ素子１４ａのゲートは制御信号ＳＰＯＬＡ−Ｙの信号線に接続され、ドレインはメモリ回路１５の入出力端子に接続され、ソースは画素電極１３に接続される。第２スイッチ素子１４ｂのゲートは制御信号ＳＰＯＬＢの信号線に接続され、ドレインはメモリ回路１５の反転出力端子に接続され、ソースは画素電極１３に接続される。第２スイッチ素子１４ａは、対応する制御信号ＳＰＯＬＡ−Ｙによってオンオフ制御され、第２スイッチ素子１４ｂは、制御信号ＳＰＯＬＢによってオンオフ制御される。
【００２０】
また、本液晶表示装置は、第１電極基板に対向してガラス製の第２電極基板が配置され、第１電極基板と第２電極基板との間に液晶層が狭持された構成である。第２電極基板上には画素電極１３と相対する対向電極が形成される。
【００２１】
ゲート回路１０は、図２の回路図に示すように、ＮＡＮＤ２０、出力回路２１、出力回路２２、スイッチ２３、スイッチ２４を有する構成である。同図では、一例として走査線Ｙ１に対応して配置されたゲート回路を示す。ここでは、入力信号は走査線Ｙ１、制御信号ＳＰＯＬＡ、制御信号ＭＯＤＥであり、出力信号は制御信号ＳＰＯＬＡ−Ｙ１である。走査線Ｙ１と制御信号ＳＰＯＬＡはＮＡＮＤ２０に入力される。
【００２２】
出力回路２１は、電源電位ＶＤＤに接続されたスイッチ素子２５と、接地電位ＧＮＤに接続されたスイッチ素子２６で構成される。スイッチ素子２５はｐチャネルトランジスタであり、スイッチ素子２６はｎチャネルトランジスタである。
【００２３】
出力回路２１は、ＮＡＮＤ２０の出力信号に従ってスイッチ素子２５又はスイッチ素子２６のいずれか一方だけをオンし、電源電位ＶＤＤ又は接地電位ＧＮＤのいずれかを出力する。
【００２４】
出力回路２２は、電源電位ＶＤＤに接続されたスイッチ素子２７と、接地電位ＧＮＤに接続されたスイッチ素子２８で構成される。スイッチ素子２７はｐチャネルトランジスタであり、スイッチ素子２８はｎチャネルトランジスタである。
【００２５】
出力回路２２は、制御信号ＳＰＯＬＡを反転させた反転制御信号／ＳＰＯＬＡに従ってスイッチ素子２７又はスイッチ素子２８のいずれか一方だけをオンし、電源電位ＶＤＤ又は接地電位ＧＮＤのいずれかを出力する。
【００２６】
スイッチ２３は、制御信号ＭＯＤＥを反転させた反転制御信号／ＭＯＤＥがハイレベルのときにオンし、出力回路２１からの出力信号を制御信号ＳＰＯＬＡ−Ｙ１として出力する。スイッチ２４は、制御信号ＭＯＤＥがハイレベルのときにオンし、出力回路２２からの出力信号を制御信号ＳＰＯＬＡ−Ｙ１として出力する。
【００２７】
次に、本液晶表示装置の動作について図３のタイミングチャートを用いて説明する。まず、動画を表示する際には、走査線駆動回路２から走査線Ｙ１〜Ｙｎに順に走査信号としてハイレベルのパルスを出力し、これに同期して信号線駆動回路３から信号線Ｓ１〜Ｓｍに映像信号を出力する。走査信号がハイレベルとなった走査線Ｙに接続されている全ての第１スイッチ素子１１がオンし、この第１スイッチ素子１１を通じて映像信号が画素電極１３に出力される。この映像信号は画素電極１３と対向電極との間に信号電圧として充電され、この信号電圧の大きさに応じて液晶層が応答することで画素の表示が制御される。このような動作を一フレーム期間内に全ての走査線Ｙについて行うことによって一画面分のフレーム（動画表示フレーム）による画像が表示される。
【００２８】
このとき、制御信号ＳＰＯＬＡ，ＳＰＯＬＢ，ＭＯＤＥの電位はいずれもローレベルとする。各ゲート回路１０では、制御信号ＭＯＤＥの電位がローレベルなので、スイッチ２３がオン、スイッチ２４がオフの状態である。また、制御信号ＳＰＯＬＡの電位がローレベルなのでＮＡＮＤ２０の出力電位がハイレベルとなり、スイッチ素子２５がオフ、スイッチ素子２６がオンの状態である。出力回路２１は、スイッチ素子２６を通じてローレベルの信号を出力し、この信号がスイッチ２３を通じて制御信号ＳＰＯＬＡ−Ｙとして出力される。よって、全ての画素５において、第２スイッチ素子１４ａはオフの状態である。また、制御信号ＳＰＯＬＢの電位はローレベルなので、第２スイッチ素子１４ｂもオフの状態である。よって、メモリ回路１５は第１スイッチ素子１１および画素電極１３から遮断され、メモリ回路１５への映像信号の書込みは行われない。
【００２９】
動画表示から静止画表示に切り替える際は、動画表示から静止画表示へ移行する最後のフレーム（静止画書込みフレーム）において、制御信号ＳＰＯＬＡの電位をハイレベルにする。このとき、各ゲート回路１０の出力回路２１では、対応する走査線Ｙにおける走査信号の電位がハイレベルとなったときにだけ、ＮＡＮＤ２０の出力電位がローレベルとなり、スイッチ素子２５がオン、スイッチ素子２６がオフする。出力回路２１は、スイッチ素子２５を通じてハイレベルの信号を出力し、この信号が制御信号ＳＰＯＬＡ−Ｙとして出力される。すなわち、制御信号ＳＰＯＬＡの電位がハイレベルの期間においては、制御信号ＳＰＯＬＡ−Ｙは、走査信号と同一位相のパルスとなる。そして、制御信号ＳＰＯＬＡ−Ｙの電位がハイレベルとなっている間だけ、この制御信号ＳＰＯＬＡ−Ｙの信号線に接続されている第２スイッチ素子１４ａがオンし、第１スイッチ素子１１と第２スイッチ素子１４ａを通じてメモリ回路１５に映像信号が書き込まれる。
【００３０】
制御信号ＳＰＯＬＡ−Ｙ１〜ＳＰＯＬＡ−Ｙｎのそれぞれの電位が、順次ハイレベルとなっていくので、各制御信号ＳＰＯＬＡ−Ｙに対応する各メモリ回路１５に映像信号が順次書き込まれていくこととなる。
【００３１】
このように、第１スイッチ素子１１をオンオフ制御する走査信号と同一位相の制御信号ＳＰＯＬＡ−Ｙに従って第２スイッチ素子１４ａをオンオフ制御することによって、信号線Ｓからの映像信号が第１スイッチ素子１１を通じて画素電極１３へ出力される場合には、その映像信号が第２スイッチ素子１４を通じてメモリ回路１５にも出力されるようにしている。
【００３２】
静止画を表示する際には、走査線Ｙからの走査信号や信号線Ｓからの映像信号は供給されず、メモリ回路１５に蓄積された映像信号が画素電極１３に出力される。このとき画素電極１３で同一の映像信号を長期間保持すると、液晶層が劣化するため、液晶層を交流駆動をする必要がある。ここでは、一定の周期で制御信号ＳＰＯＬＡと制御信号ＳＰＯＬＢを交互にハイレベルにし、第２スイッチ素子１４ａと第２スイッチ素子１４ｂを交互にオンすることによってメモリ回路１５から出力される映像信号の極性を反転させ、同時に対向電極における電位の極性を反転させることで交流駆動を実現する。
【００３３】
したがって、本実施の形態によれば、動画表示から静止画表示への切り替えの際に、信号線Ｓからの映像信号が画素電極１３に出力される間だけメモリ回路１５に映像信号の書込みのための動作をさせるようにしたことで、メモリ回路１５の書込動作中に信号線Ｓから映像信号が供給されないためにメモリ回路１５に蓄積されている過去の映像信号が画素電極１３に出力されてしまうことがなくなるので、表示画像のちらつきを防止することができる。
【００３４】
また、本実施の形態によれば、画素電極１３とメモリ回路１５との間に配置された第２スイッチ素子１４に対して、第１スイッチ素子１１をオンオフ制御する走査信号と同一位相の制御信号ＳＰＯＬＡ−Ｙを出力するようにしたことで、第１スイッチ素子１１を通じて信号線Ｓからの映像信号が画素電極１３に出力される場合にだけ、第２スイッチ素子１４を通じて映像信号がメモリ回路１５へ出力されるので、メモリ回路１５に蓄積されている過去の映像信号が画素電極１３に出力されてしまうことがなくなり、表示画像のちらつきを防止することができる。
【００３５】
【発明の効果】
以上説明したように、本発明に係る表示装置によれば、動画表示から静止画表示への切り替えの際に、メモリ回路に蓄積されている過去の映像信号が画素電極に出力されることがなくなり、表示画像のちらつきを防止することができる。
【図面の簡単な説明】
【図１】一実施の形態に係る表示装置の構成を示す回路図である。
【図２】上記表示装置のメモリ制御回路に用いられるゲート回路の構成を示す回路図である。
【図３】上記表示装置の動作を示すタイミングチャートである。
【図４】従来の表示装置の構成を示す回路図である。
【図５】従来の表示装置の動作を示すタイミングチャートである。
【符号の説明】
１…メモリ制御回路
２…走査線駆動回路
３…信号線駆動回路
４…表示部
５…画素
１０…ゲート回路
１１…第１スイッチ素子
１２…補助容量
１３…画素電極
１４ａ，１４ｂ…第２スイッチ素子
１５…メモリ回路
２０…ＮＡＮＤ
２１，２２…出力回路
２３，２４…スイッチ
２５，２６…スイッチ素子
２７，２８…スイッチ素子
【図１】
2004013124.tif 000003
【図２】
2004013124.tif 000004
【図３】
2004013124.tif 000005
【図４】
2004013124.tif 000006
【図５】
2004013124.tif 000007